(57)【要約】  【課題】  複数のブラインド用ブラケットの前後位置が揃って取付けられていない場合であっても、ブラインド支持枠を真っ直ぐに取り付けることができるようにする。  【解決手段】  ブラケット本体１２と、ブラケット本体１２に摺動可能に支持されて、ブラケット本体１２と共にブラインド支持枠を係止する掛止部材１４とを有し、さらに、ブラケット本体１２をスライド自在に支持する支持部材１６が設けられ、支持部材１６を固定取付部に固定することによって、ブラケット本体１２が固定取付面２２に対してスライド可能となっている。【選択図】  図１
2005226302.tif 000002
【特許請求の範囲】
【請求項１】
ブラケット本体（１２）と、ブラケット本体（１２）に摺動可能に支持されて、ブラケット本体（１２）と共にブラインド支持枠（２０）を係止する掛止部材（１４）とを有するブラインド用ブラケットにおいて、
ブラケット本体（１２）をスライド自在に支持する支持部材（１６）が設けられ、支持部材（１６）はブラインド支持枠（２０）を取り付けるべき固定取付部（２２）に固定されるものであり、これによりブラケット本体（１２）が固定取付部（２２）に対してスライド可能となることを特徴とするブラインド用ブラケット。
【発明の詳細な説明】
【技術分野】
【０００１】
本発明は、ブラインドのブラインド支持枠を窓枠等の固定取付部に取り付けるためのブラインド用ブラケットに関する。
【背景技術】
【０００２】
従来、ブラインド用ブラケットとしては、例えば、特許文献１（実公平６−１６１１１号公報）に示されるものがある。これによれば、ブラケット本体の下側に、ブラインド支持枠を支持する一対のフックを設け、一対のフックのうち一方をブラケット本体の一側部中央部に固定的に位置する薄肉の固定フックとし、他方のフックを、ブラケット本体の他端部に位置し、中央の頂部からヘッドボックスの長手方向に拡開する山形平面をもち固定フックに対して相対的に移動可能となった移動フックとしたものである。
【０００３】
このブラケットの一対のフックは、その水平部にヘッドボックスの上縁部を載置することによってブラインドの重量を支え、その垂直部でヘッドボックスの上縁部の側面の１点を支持しているので、ヘッドボックスを支持する２個のブラケットの前後位置が揃っていない場合においても、ヘッドボックスをブラケットにスムーズに取り付けることができるようになっている。
【０００４】
【特許文献１】実公平６−１６１１１号公報
【発明の開示】
【発明が解決しようとする課題】
【０００５】
しかしながら、上記従来のブラケットは、２個のブラケットの前後位置が揃っていない場合にヘッドボックスを取り付けることはできるが、取付けられたヘッドボックスは、斜めの状態で取付けられてしまうという問題がある。また、２個のブラケットで１つのヘッドボックスを支持する場合には対応可能であるが、ブラインドの長手寸法が大きい場合にヘッドボックスの撓みを防止するためにはブラケットを３個以上使用することがあり、３個以上のブラケットの前後位置が様々になっている場合には、対応不可能である。そのため、一般ユーザなど不慣れな者がブラケットを取り付ける際には、ブラケットの取付直しが必要となり、手間がかかるという問題がある。
【０００６】
本発明はかかる課題に鑑みなされたものであり、複数のブラインド用ブラケットの前後位置が揃って取付けられていない場合であっても、ブラインド支持枠を真っ直ぐに取り付けることができるブラインド用ブラケットを提供することを目的とする。
【課題を解決するための手段】
【０００７】
前述した目的を達成するために、請求項１記載の発明は、ブラケット本体と、ブラケット本体に摺動可能に支持されて、ブラケット本体と共にブラインド支持枠を係止する掛止部材とを有するブラインド用ブラケットにおいて、ブラケット本体をスライド自在に支持する支持部材が設けられ、支持部材はブラインド支持枠を取り付けるべき固定取付部に固定されるものであり、これによりブラケット本体が固定取付部に対してスライド可能となることを特徴とする。
【発明の効果】
【０００８】
本発明によれば、ブラインド用ブラケットをブラインドを取り付けるべき窓枠等の固定取付部に固定する際には、支持部材を固定取付部に固定する。ブラケット本体が支持部材に対してスライド可能となっているために、結果としてブラケット本体は支持部材に対してスライド可能となる。複数のブラインド用ブラケットによって１つのブラインド支持枠を支持する場合に、その前後位置が揃っていなくても、ブラケット本体を支持部材に対してスライドさせることで、前後位置を揃えることが可能になる。これは、３個以上のブラインド用ブラケットを用いる場合において、特に有効であり、それぞれの支持部材がばらばらの前後位置に固定取付部に取付けていても、ブラケット本体が固定取付部に対して摺動することで、ブラインド支持枠を取り付けることができるようになる。
【発明を実施するための最良の形態】
【０００９】
以下、図面を用いて本発明の実施の形態を説明する。
【００１０】
図１は、本発明のブラインド用ブラケットの斜視図、図２はその分解斜視図、図３は中央線で切って見た断面図である。図において、ブラインド用ブラケット１０は、ブラケット本体１２と、ブラケット本体１２に摺動可能に支持される掛止部材１４と、を有している。
【００１１】
ブラケット本体１２は、水平となった水平部１２ａを有し、その水平部１２ａの前端側部からは、一対の掛止片１２ｂ、１２ｂが前下方に向かって突出している。また、その水平部１２ａの両側から下方に折曲形成された側部１２ｃ、１２ｃの中央には、開口１２ｄ、１２ｄが形成されている。
【００１２】
水平部１２ａには、前後方向に長くなった長孔１２ｅと、その長孔１２ｅの両側に前後方向に伸びるガイド孔１２ｆ、１２ｆが形成されている。また、長孔１２ｅよりも後方には、バネ押さえ片１２ｇが切り起こしにより形成されている。
【００１３】
掛止部材１４は、ブラケット本体１２の水平部１２ａの下側に配置されるもので、その両側には、前記ブラケット本体１２の開口１２ｄ、１２ｄにはめ込まれる弾性変形可能な抜止片１４ａ、１４ａが形成されており、その後端部には弾性変形可能なバネ部１４ｂが形成されている。さらに、バネ部１４ｂの下側には掛止部１４ｃが形成されている。
【００１４】
さらに、掛止部材１４の中央部には、前後方向に長くなった長孔１４ｄと、その長孔１４ｄの両側に前後方向に伸びるガイド溝１４ｅ、１４ｅが形成されている。
【００１５】
掛止部材１４の抜止片１４ａ、１４ａがブラケット本体１２の開口１２ｄ、１２ｄに前後に摺動可能にはめ込まれ、バネ押さえ片１２ｇがバネ部１４ｂの後部を押さえており、掛止部材１４は、バネ部１４ｂによる弾性変形分だけ、ブラケット本体１２に対して摺動可能となっている。
【００１６】
ブラケット本体１２の掛止片１２ｂにブラインド支持枠２０の前側つば２０ａを係止し、掛止部材１４の掛止部１４ｃにブラインド支持枠２０の後側つば２０ｂを係止することで、従来のブラケットと同様に、ブラインド支持枠２０を支持することができる。尚、図示の例では、ブラインド支持枠２０の前側つば２０ａ及び後側つば２０ｂが内側を向いており、掛止片１２ｂ及び掛止部１４ｃが互いに外側に向いているが、ブラインド支持枠の前側つば及び後側つばがそれぞれ外側を向いている場合には、掛止片１２及び掛止部１４ｃが互いに内側を向くように構成することも可能である。
【００１７】
ブラケット本体１２には、さらに、支持部材１６が設けられている。支持部材１６は、ブラインドが取り付けられるべき窓枠等の固定取付面２２に当接される水平部１６ａを有しており、水平部１６ａの両側には、前記ガイド孔１２ｆ、１２ｆに差し込まれて、ガイド孔１２ｆ、１２ｆを摺動するレール１６ｂ、１６ｂが下方へ折曲形成されており、レール１６ｂ、１６ｂの下端はガイド孔１２ｆ、１２ｆを通過した後、さらに直角に折曲されており、これにより支持部材１６はブラケット本体１２から抜止されると共に、ブラケット本体１２は支持部材１６に対してスライド可能となる。また、レール１６ｂ、１６ｂは、掛止部材１４のガイド溝１４ｅ、１４ｅを摺動する。
【００１８】
支持部材１６の水平部１６ａには、ネジが貫通するための取付孔１６ｃが形成されている。取付孔１６ｃは、前記ブラケット本体１２の長孔１２ｅ及び掛止部材１４の長孔１４ｄと重なり合う位置にある。
【００１９】
以上のように構成されるブラインド用ブラケット１０を窓枠等の固定取付面２２に固定する際には、図３に示すように、ネジ１８を、下方からブラケット本体１２の長孔１２ｅ及び掛止部材１４の長孔１４ｄに通過させた後、支持部材１６の取付孔１６ｃを貫通させて、固定取付面２２にねじ込む。ネジ１８の頭部は長孔１４ｄと長孔１２ｅ内に収まる。通常複数のブラインド用ブラケット１０を用いて１つのブラインド支持枠２０を支持するので、複数のブラインド用ブラケット１０は、前後位置が一直線に揃うように取り付けることが理想的であるが、実際には、図４（ａ）に示すようにずれが生じてしまう。
【００２０】
この状態で、各ブラインド用ブラケット１０のブラケット本体１２の掛止片１２ｂ、１２ｂにブラインド支持枠２０の前側つば２０ａを引っ掛けようとすると、従来であれば、各ブラインド用ブラケット１０の位置が揃っていないので、引っ掛けることができない。しかしながら、ブラケット本体１２が支持部材１６に対して摺動することができるために、一直線に揃うようにブラケット本体１２を移動させることによって、ブラインド支持枠２０の前側つば２０ａをブラケット本体１２の掛止片１２ｂ、１２ｂに引っ掛け、次に、掛止部材１４のバネ部１４ｂを弾性変形させながら、ブラインド支持枠２０の後側つば２０ｂを掛止部材１４の掛止部１４ｃに引っ掛けて、ブラインド支持枠２０を取り付けることができる（図４（ｂ））。
【００２１】
こうして、ブラケット本体１２の位置を微調整することで、ブラインド支持枠２０を固定取付面２２に取り付けることができると共に、真っ直ぐに取り付けることができる。
【００２２】
この実施形態のブラインド用ブラケット１０によれば、２個のみならず、３個またはそれ以上で１つのブラインド支持枠２０を取り付ける場合においても、全てのブラインド用ブラケット１０が直線上に揃って取付けられていなくても、ブラインド支持枠２０を真っ直ぐに取り付けることができる。
【００２３】
尚、図４に示した例では、複数のブラインド用ブラケットを用いてブラインド支持枠を取り付ける際に、すべてのブラインド用ブラケットに本発明によるブラインド用ブラケット１０を用いていたが、これに限るものではなく、１つのブラインド用ブラケットはブラケット本体１２が固定取付面２２に対して摺動しない従来のタイプのブラインド用ブラケットを用いて、その他の残りのブラインド用ブラケットとして本発明によるブラインド用ブラケット１０を用いることが好適である。ブラケット本体が摺動しないタイプのブラインド用ブラケットを基準として、それに合うようにその他の残りのブラインド用ブラケット１０のブラケット本体１２を移動させることができ、これによりブラインド支持枠２０取付後の各ブラケット本体１２の摺動を防ぐことができる。
【図面の簡単な説明】
【００２４】
【図１】本発明のブラインド用ブラケットの全体斜視図である。
【図２】図１のブラインド用ブラケットの分解斜視図である。
【図３】図１のブラインド用ブラケットの中央線で切って見た断面図である。
【図４】ブラインド用ブラケットを用いてブラインド支持枠を固定取付面に取り付ける際の状態を説明する下方から見た説明図であり、（ａ）はブラインド支持枠を取り付ける前、（ｂ）はブラインド支持枠を取り付けた後の状態を示す。
【符号の説明】
【００２５】
１０  ブラインド用ブラケット
１２  ブラケット本体
１４  掛止部材
１６  支持部材
２０  ブラインド支持枠
２２  固定取付面（固定取付部）
【図１】
2005226302.tif 000003
【図２】
2005226302.tif 000004
【図３】
2005226302.tif 000005
【図４】
2005226302.tif 000006